【事件の表示】
　特許第３２８１３４５号「循環式パチンコ機」の請求項１、２に係る特許に対する特許異議の申立てについて、次のとおり決定する。
【結　論】
　訂正を認める。
　特許第３２８１３４５号の請求項１に係る特許を維持する。
【理　由】
１．手続きの経緯
　特許第３２８１３４５号の請求項１、２に係る発明についての出願は、平成３年７月２４日に出願された特許出願（特願平３−２０７５１４号）の一部が特許法第４４条の規定により新たな特許出願（特願平１１−３２３０２７号）とされたものであって、平成１４年２月２２日にその発明について特許権の設定登録がなされ、その後、その特許について、特許異議申立人上田実より特許異議の申し立てがなされ、取消の理由（以下取消理由通知１という）が通知され、その指定期間内である平成１５年３月２８日に訂正請求がなされ、訂正を認めた上で更に取消の理由（以下取消理由通知２という）が通知され、その指定期間内である平成１５年７月２９日付けで先の訂正請求が取下げられ再度の訂正請求がなされ、訂正を認めた上で更に取消の理由（以下取消理由３という）が通知され、その指定期間である平成１６年５月１４日付けで先の訂正請求が取下げられ再度の訂正請求がなされたものである。
　
２．訂正の適否についての判断
ア．訂正の内容
　
　特許権者が求めている訂正の内容は、以下のａないしｄのとおりである。
　
訂正事項ａ．
　特許請求の範囲の請求項１の、
「打球位置へ送り込まれたパチンコ球を遊技盤面に向けて発射させる発射制御機構と、ファール球を回収するファール球回収部と、アウト球を回収するアウト球回収部と、前記アウト球回収部の出口に一端部が連通しかつ同アウト球回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ配置し、　前記ファール球回収部と前記待機誘導部との間は、これらファール球回収部と待機誘導部とを連通しかつ前記ファール球回収部のファール球を前記待機誘導部に導入するファール球通し口が設けられる一方、　前記貯留誘導部には、同貯留誘導部のパチンコ球を順次に前記待機誘導部に送り出す球送り部材が設けられている循環式パチンコ機。」
を
「打球位置へ送り込まれたパチンコ球を遊技盤面に向けて発射させる発射制御機構と、ファール球を回収するファール球回収部と、アウト球及びセーフ球を回収するアウト球回収部と、前記アウト球回収部の出口に一端部が連通しかつ同アウト球回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ配置し、
　前記貯留誘導部と前記待機誘導部は、前記遊技盤よりも下方においてそれぞれ配置され、
　前記貯留誘導部は、パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え、
　前記待機誘導部には、その待機誘導部で待機するパチンコ球数の不足を検出する待機球検出器が設けられる一方
　前記貯留誘導部には、前記待機球検出器の検出信号によって作動しかつ前記第１の縦配列通路部の下端のパチンコ球を前記方向変換部を通して前記第２の縦配列通路部の下端に向けて移送しかつ前記第２の縦配列通路部のパチンコ球を順次に上側に押し出して前記待機誘導部に送り出すモータ駆動の球送り部材が設けられ、
　しかも、前記待機誘導部には、前記ファール球回収部に連通しかつ前記ファール球回収部のファール球を前記待機誘導部に導入するファール球通し口が設けられ、
　前記ファール球通し口は、前記待機誘導部のうち、前記待機球検出器の上流側に位置して配置されていることを特徴とする循環式パチンコ機。」
と訂正する。
　
訂正事項ｂ．
　本件特許明細書の特許請求の範囲の請求項２を削除する。
　
訂正事項ｃ．
　本件特許明細書の発明の詳細な説明の欄の[０００４]段落の記載
　「[課題を解決するための手段]
　前記課題を解決するために、この発明の請求項１に係る循環式パチンコ機は、打球位置へ送り込まれたパチンコ球を遊技盤面に向けて発射させる発射制御機構と、ファール球を回収するファール球回収部と、アウト球を回収するアウト球回収部と、前記アウト球回収部の出口に一端部が連通しかつ同アウト球回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ配置し、
　前記ファール球回収部と前記待機誘導部との間は、これらファール球回収部と待機誘導部とを連通しかつ前記ファール球回収部のファール球を前記待機誘導部に導入するファール球通し口が設けられる一方、
　前記貯留誘導部には、同貯留誘導部のパチンコ球を順次に前記待機誘導部に送り出す球送り部材が設けられている。
　また、請求項２に係る循環式パチンコ機は、請求項１に記載の循環式パチンコ機であって、待機誘導部には球検出器が設けられ、
　球送り部材は、前記球検出器の信号によって作動し、前記貯留誘導部のパチンコ球を前記待機誘導部に順次に送り出して同待機誘導部に適数個のパチンコ球を確保する構成にしてある。」
を、
　「[課題を解決するための手段]
　前記課題を解決するために、この発明の請求項1に係る循環式パチンコ機は、打球位置へ送り込まれたパチンコ球を遊技盤面に向けて発射させる発射制御機構と、ファール球を回収するファール球回収部と、アウト球及びセーフ球を回収するアウト球回収部と、前記アウト球回収部の出口に一端部が連通しかつ同アウト球回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ配置し、
　前記貯留誘導部と前記待機誘導部は、前記遊技盤よりも下方においてそれぞれ配置され、
　前記貯留誘導部は、パチンコ球が縦方向にそれぞれ配列貯留されかつ上端部が前記アウト球回収部の出口に連通する第１の縦配列通路部(第４循環路４６Ｄに相当する)と、上端部が前記待機誘導部の入口部と略同じ高さ位置まで存在して連通する第２の縦配列通路部(第６循環路４６Ｆに相当する)と、前記第１、第２の両縦配列通路部の下端部をＵターン状に連通する方向変換部(第５循環路４６Ｅに相当する)と、を備え、
　前記待機誘導部には、その待機誘導部で待機するパチンコ球数の不足を検出する待機球検出器が設けられる一方、
　前記貯留誘導部には、前記待機球検出器の検出信号によって作動しかつ前記第１の縦配列通路部の下端のパチンコ球を前記方向変換部を通して前記第２の縦配列通路部の下端に向けて移送しかつ前記第２の縦配列通路部のパチンコ球を順次に上側に押し出して前記待機誘導部に送り出すモータ駆動の球送り部材が設けられ、
　しかも、前記待機誘導部には、前記ファール球回収部に連通しかつ前記ファール球回収部のファール球を前記待機誘導部に導入するファール球通し口が設けられ、
　前記ファール球通し口は、前記待機誘導部のうち、前記待機球検出器の上流側に位置して配置されていることを特徴とする。」
と訂正する。
　
訂正事項ｄ．
　本件特許明細書の発明の詳細な説明の欄の[０００５]段落の記載
　「［作用]
　したがって、この発明の請求項１に係る循環式パチンコ機において、発射制御機構によって遊技盤面に向けて発射されたパチンコ球のうち、ファール球はファール球回収部に流れて回収され、アウト球はアウト球回収部に流れて回収される。　前記アウト球回収部に流れたパチンコ球はそのアウト球回収部の出口から貯留誘導部に順次に流入して貯留される。
　前記貯留誘導部に貯留されたパチンコ球のうち、その出口側に位置するパチンコ球が球送り部材によって順次に待機誘導部に送り出される。このように待機誘導部には貯留誘導部の出口部のパチンコ球が送り出され、その待機誘導部には適数個のパチンコ球が待機される。そして、待機誘導部の最前端のパチンコ球が打球位置へ送り込まれる。
　一方、ファール球回収部に流れたパチンコ球はファール球通し口を通して待機誘導部の入口側寄り部分に流入して、同待機誘導部の下流側に流れる。
　このようにして、打球位置にあるパチンコ球が、アウト球回収部、貯留誘導部、待機誘導部及び打球位置、あるいは、ファール球回収部、待機誘導部及び打球位置に順次に流れて循環される。
　前記ファール球回収部に流れたパチンコ球はファール球通し口を通して待機誘導部に直接的に流入し、同待機誘導部の下流側に流れるため、ファール球が貯留誘導部に流れる構造のもの比べ、ファール球が待機誘導部に直接に戻される分だけ、貯留誘導部に貯留された球の送り出し個数を軽減することができる。
　また、請求項２に係る循環式パチンコ機において、待機誘導部の球検出器による球の検出信号によって球送り部材が作動し、貯留誘導部の球を待機誘導部に送り出してその待機誘導部に適数個の球を確保することができる。
　また、ファール球が待機誘導部に直接に戻される分だけ、球送り部材の作動が減少するため、球送り部材の作動負荷を軽減して耐久性の向上を図ることが可能となる。」
を、
　「［作用]
　したがって、この発明の請求項１に係る循環式パチンコ機において、発射制御機構によって遊技盤面に向けて発射されたパチンコ球のうち、ファール球はファール球回収部に流れて回収され、アウト球及びセーフ球はアウト球回収部に流れて回収される。
　前記アウト球回収部に流れたパチンコ球はそのアウト球回収部の出口から貯留誘導部の第１の縦配列通路部に流れて縦方向に配列貯留される。
　第１の縦配列通路部に貯留されたパチンコ球は、球送り部材によって第２の縦配列通路部に送られる。第２の縦配列通路部に送られたパチンコ球は、第２の縦配列通路部に沿って順次に上側に移送され、その出口側すなわち上端部に位置するパチンコ球が待機誘導部に送り出される。このように待機誘導部には貯留誘導部の出口部のパチンコ球が送り出され、その待機誘導部には適数個のパチンコ球が待機される。そして、待機誘導部の最前端のパチンコ球が打球位置へ送り込まれる。
　一方、ファール球回収部に流れたパチンコ球はファール球通し口を通して待機誘導部の入口側寄り部分に流入して、同待機誘導部の下流側に流れる。
　このようにして、打球位置にあるパチンコ球が、アウト球回収部、貯留誘導部、待機誘導部及び打球位置、あるいは、ファール球回収部、ファール球通し口、待機誘導部及び打球位置に順次に流れて循環される。
　前記ファール球回収部に流れたパチンコ球はファール球通し口を通して待機誘導部に直接的に流入し、同待機誘導部の待機球検出器を通過して下流側に流れるため、ファール球が貯留誘導部に流れる構造のもの比べ、ファール球が待機誘導部に直接に戻される分だけ、貯留誘導部に貯留された球の送り出し個数を軽減することができる。」
と訂正する。
　
イ．訂正の目的の適否、新規事項の有無及び拡張・変更の存否
　
　　上記訂正事項ａ．は、回収部、貯留誘導部、待機誘導部及びファール球通し口を限定したものであり、また、上記訂正事項ｂ．は請求項２を削除するものであって特許請求の範囲の減縮を目的とするものであり、新規事項の追加に該当しない。
　上記訂正事項ｃ．、ｄ．は上記訂正事項ａ．、ｂ．と整合を図るものであるから、明りょうでない記載の釈明を目的とした明細書の訂正に該当し、新規事項の追加に該当しない。
そして、いずれも、実質的に特許請求の範囲を拡張又は変更するものではない。
　
ウ．むすび
　
　以上の通りであるから、上記訂正は、特許法等の一部を改正する法律（平成６年法律第１１６号）附則第６条第１項の規定によりなお従前の例によるとされる、特許法第１２０の４第３項において準用する平成６年法律第１１６条による改正前の特許法第１２６条第１項ただし書及び第２項の規定に適合するので、当該訂正を認める。
　
３．特許異議申し立てについての判断
ア．申立ての理由の概要
　　特許異議申立人上田実は、特許第３２８１３４５号の請求項１及び２に係る発明は、甲第１号証及び甲第２号証に記載の発明に基づいて当業者が容易に発明をすることができたものであるから、特許法第２９条第２項の規定に違反してなされたものであり、特許を取り消すべき旨主張している。
　
イ．訂正明細書の請求項１に係る発明
　訂正明細書の請求項１に係る発明は、上記訂正事項ａ．を参照されたい。（以下「本件特許発明」という。）
　
ウ．引用刊行物及び先願発明
　刊行物１：
　　特開昭５６−９１７６９号公報（甲第１号証、取消理由１引例２）
　
　刊行物２：
　　特開昭５１−７８４５１号公報（甲第２号証、取消理由１引例３）
　
　刊行物３：
　　特開昭６３−３０２８７１号公報（甲第３号証、取消理由１引例４）
　
　刊行物４：
　　特開平２−５９８３号公報（甲第４号証、取消理由１引例５）
　
　刊行物５：
　　特公昭５７―５４１３７号公報（甲第５号証、取消理由１引例６）
　
　刊行物６：
　　特開平２−２９９６８０号公報（甲第６号証、取消理由１引例７）
　
　刊行物７：
　　特開昭６０−１７４１６７号公報（取消理由１引例１、取消理由２引例１）
　　
　刊行物８：
　　実願昭５８−１１１３７３号（実開昭６０−２０２７８号）のマイクロフィルム（取消理由２引例２）
　
　先願発明１：
　　特願平３−２４４０８号（特開平４−２６３８８５号）（取消理由２の第１先願）
　　
　先願発明２：
　　特願平１−３３３１９８号（特開平３−１９３０７９号）（取消理由２の第２先願）
　　
　先願発明３：
　　特願平２−２５４４０７号（特開平４−１２６１７４号）（取消理由２の第３先願）
　
　同一発明１：
　　特願平１１−３２３０２８号（特許第３３００６９２号）（取消理由３の同一発明１）
　　
　同一発明２：
　　特願平１１−３５２２３５号（特許第３３００６９３号）（取消理由３の同一発明２）
　　
　刊行物９：
　　特開昭５９−１６８８６８号公報（平成１５年８月１９日付上申書資料１）
　　
　刊行物１０：
　　実願昭６２−６５８４２号（実開昭６３−１７６４８８号）のマイクロフィルム（平成１５年８月１９日付上申書資料２）
　　
　刊行物１１：
　　特開昭５６−１０８５８２号公報（平成１５年８月１９日付上申書資料１）
　
エ．刊行物１（甲第１号証）〜刊行物６（甲第６号証）記載の発明　
　刊行物１（甲第１号証）には、循環式パチンコ機であって、アウト球及びセーフ球を回収しゲーム球貯留室に戻し、ゲーム球貯留室から送り装置の作動によって発射装置にゲーム球が送り出されるものであって、ファウル球が貯留室に連通したファウル球通路を通して戻されるものが記載されている。
　
　刊行物２（甲第２号証）には、循環式パチンコ機であって、アウト球及びセーフ球を回収して打球部へ球を送り出す、遊技球送り出し装置を設けた球整列管を有しており、球残数が一定値以下になると球送り出し装置により一定数の球を、盤面に打ち込まれる球が待機する部分へ送り出すものが記載されている。
　
　刊行物３（甲第３号証）、刊行物４（甲第４号証）には、循環式パチンコ機であって、ファウル球が球貯留空間に回収されるものが記載されている。
刊行物５（甲第５号証）には、循環式パチンコ機であって、アウト又はセ−フ玉となって落下してくる玉を押し上げ循環させる玉揚げ装置を有するものが記載されている。
　
　刊行物６（甲第６号証）には、循環式パチンコ機であって、入賞球及びアウト球を上方へ揚送する還元機と還元機より揚送される遊技球を一列で螺旋状に整列させて収容する螺旋タンクレールと、螺旋タンクレールに並ぶ遊技球を一個づつ発射装置に供給する遊技球供給装置が設けられたものが記載されている。
　
オ−１．刊行物７〜１１記載の発明
　刊行物７には、遊技盤と、その遊技盤の下方に位置して配設されかつ打球位置へ送り込まれたパチンコ球を遊技盤面に向けて発射させる発射制御機構と、その発射制御機構によって発射された各パチンコ球を回収する回収部と、前記回収部の出口に一端部が連通しかつ同回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ備えた循環式パチンコ機であって、これら貯留誘導部と待機誘導部は、前記遊技盤の下方においてそれぞれ配置され、前記待機誘導部には、その待機誘導部で待機するパチンコ球数の不足を検出する待機球検出器が設けられる一方、前記貯留誘導部には、前記待機球検出器の検出信号によって作動しかつ前記貯留誘導部のパチンコ球を順次に前記待機誘導部に送り出す球送り部材が設けられ、前記貯留誘導部にはパチンコ球が相互に接して配列される配列通路部が設けられている循環式パチンコ機が記載されている。
　刊行物８には、セーフ玉貯留部が低い位置に設けられ、玉上げ装置により玉を一個づつ排出部に揚送することによって盤面のゲージ構成を多様化することが記載されている。
刊行物９〜１１には一端部が搬入部に通じる一方の配列通路部と一端部が搬出部に通じる他方の配列通路部と、両配列通路部の他端部をＵターン状に連通する方向変換部を備え方向変換部に被搬送物送り部材が設けられ送り力が被搬送物の相互の接触によって伝達され被搬送物が順次に送り出される構成が記載されている。
　
オー２．先願発明
　先願発明１は、循環式パチンコ機であって遊技盤と、その遊技盤の下方に位置して配設されかつ打球位置へ送り込まれたパチンコ球を遊技盤面に向けて発射させる発射制御機構と、その発射制御機構によって発射された各パチンコ球を回収する回収部と、前記回収部の出口に一端部が連通しかつ同回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ備えた循環式パチンコ機であって、前記貯留誘導部は前記待機誘導部よりも低い位置に配置されるとともに、これら貯留誘導部と待機誘導部は、前記遊技盤の下方においてそれぞれ配置され、前記待機誘導部には、その待機誘導部で待機するパチンコ球数の不足を検出する待機球検出器が設けられる一方、前記貯留誘導部には、前記待機球検出器の検出信号によって作動しかつ前記貯留誘導部のパチンコ球を順次に上側に移送して前記待機誘導部に送り出すモータ駆動の球送り部材が設けられ、前記貯留誘導部にはパチンコ球が相互に接して配列される配列通路部が設けられている循環式パチンコ機の発明である。
　　　　
　先願発明２は、打球位置へ送り込まれたパチンコ球を遊技盤面に向けて発射させる発射制御機構と、アウト球を回収するアウト球回収部と、前記アウト球回収部の出口に一端部が連通しかつ同アウト球回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ配置し、前記貯留誘導部は前記待機誘導部よりも低い位置に配置するとともに、これら貯留誘導部と待機誘導部は、前記遊技盤の下方においてそれぞれ配置され、前記貯留誘導部には、同貯留誘導部のパチンコ球を順次に上側に移送して前記待機誘導部に送り出すモータ駆動の球送り部材が設けられている循環式パチンコ機の発明である。
　
　先願発明３は、打球位置へ送り込まれたパチンコ球を遊技盤面に向けて発射させる発射制御機構と、ファール球を回収するファール球回収部と、アウト球を回収するアウト球回収部と、前記アウト球回収部の出口に一端部が連通しかつ同アウト球回収部の出口から流出したパチンコ球を貯留する貯留誘導部と、前記貯留誘導部の他端部に連通しかつ同貯留誘導部から送り出されたパチンコ球を前記打球位置へ送り出す待機誘導部と、をそれぞれ配置し、前記貯留誘導部は前記待機誘導部よりも低い位置に配置するとともに、これら貯留誘導部と待機誘導部は、前記遊技盤の下方においてそれぞれ配置され、前記貯留誘導部には、同貯留誘導部のパチンコ球を順次に上側に移送して前記待機誘導部に送り出すモータ駆動の球送り部材が設けられている循環式パチンコ機の発明である。
　
オ−３．同一発明
　同一発明１は、「本件特許発明」の出願の親出願（特願平３−２０７５１４号）の一部を分割出願したものである。
同一発明２は、「本件特許発明」の出願の一部を分割出願したものである。
　
カ．対比・判断　
カ−１の１．取消理由１の「理由１」について。
　取消理由１の「理由１」は、「本件特許発明」は刊行物７に記載された発明と同一又はその発明から容易に想到しえたとするものである。
　しかしながら、刊行物７記載のものは、ファ−ル球を回収し待機誘導部にファール球通し口を介して導出する点において「本件特許発明」と一致する循環式パチンコ機であるが、「本件特許発明」の、「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成を有してはいない。
　そしてこの構成は、上記刊行物１〜６、８〜１１のいずれを更に加え検討しても、容易に想到できるものとはいえない。
　
カ−１の２．取消理由１の「理由２」について。
　取消理由１の「理由２」は、「本件特許発明」は上記刊行物１〜６（甲第１〜６号証）に記載された発明から容易に想到しえたとするものである。
　
対比：
　「本件特許発明」と刊行物１（甲第１号証）記載のものを比較すると、両者はともに循環式パチンコ機であり、発射制御機構、アウト球及びセーフ球回収部、パチンコ球を打球位置へ送り出す待機誘導部、を有しているが、「本件特許発明」の、「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成を有してはいない。
　
　「本件特許発明」と刊行物２（甲第２号証）記載のものとを比較すると、やはり両者はともに循環式パチンコ機であり、発射制御機構、アウト球及びセーフ球回収部、パチンコ球を打球位置へ送り出す待機誘導部、を有しているが、「本件特許発明」の、「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成を有してはいない。
　
　「本件特許発明」と刊行物３（甲第３号証）及び刊行物４（甲４号証）記載のものとを比較すると、刊行物３、４記載のものには共にファ−ル球回収部は備わっているものの、その構成が「本件特許発明」と異なり、また、共に貯留誘導部に相当する部分の構成が「本件特許発明」と相違する。
　
　「本件特許発明」と刊行物５（甲第５号証）記載のものとを比較すると、刊行物５記載のものは循環式パチンコ機において発射のための待機誘導部にパチンコ球を送り出す揚送機構を有する点において一致するが、「本件特許発明」の、「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成を有してはいない。
　
　「本件特許発明」と刊行物６（甲第６号証）記載のものとを比較すると、刊行物６記載のものにおいては循環式パチンコ機において遊技球をＵターン状に形成した貯留部に貯留させて打球部に送り出す点において一致するが、「本件特許発明」の、「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成を有してはいない。
　
　そして、「本件特許発明」は、待機誘導部における待機球検出器より上流側にファ−ル球通し口が存在することとＵターン状縦配列の貯留誘導部であることとが協働して、ファ−ル球通し口位置に、ファ−ル球が合流する余地が生じて、ファ−ル球を確実に待機誘導部に導出できるという格別の効果を奏するものと認められる。
　「本件特許発明」の、この協働する構成は、刊行物１〜６のいずれにも記載されておらずまたそれらから容易に想到することもできない。そして、上記刊行物７〜１１を更に加えても想到出来るものとは認められない。
　
カ−２．取消理由２の「理由１」について
　取消理由２の「理由１」は、「本件特許発明」は刊行物７、８に記載された発明に基づいて容易に想到しえたとするものである。
　
対比：
　刊行物７記載のものは、ファ−ル球を回収し待機誘導部にファ−ル球通し口を介して導出する点において「本件特許発明」と一致する循環式パチンコ機ではあるが、「本件特許発明」の、「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成を有してはいない。
　そして刊行物８の、パチンコ機においてパチンコ球を上側に揚送することによって空間利用を適宜効率化する開示及び刊行物９−１１に記載されている様な、適宜パチンコ機の空間利用を効率化するという周知技術に基づいても、「本件特許発明」のファ−ル球回収部の、待機誘導部における球検出器より上流側にファ−ル球通し口が存在することとＵターン状縦配列の貯留誘導部であることとが協働して、ファ−ル球を確実に待機誘導部に導出できるという格別の効果を奏するこの構成に至ることはできない。
　
　また、上記した他の刊行物のいずれを加えても、この構成に想到しえたと言うことは出来ない。
　
カ−３．取消理由２の「理由２」〜「理由４」について
　取消理由２の「理由２」〜「理由４」は、それぞれ、「本件特許発明」は第１先願発明〜第３先願発明と同一であるから、特許法第２９条の２の規定により特許をうけることができないとするものである。
　
第１先願発明〜第３先願発明との対比：
　各先願発明と「本件特許発明」とは以下の相違点が存在し、これら相違点は、周知でも自明でもなく、「本件特許発明」は各先願と実質的に同一の発明とはいえない。
　
第１先願発明〜第３先願発明との相違点：
　「待機誘導部における待機球検出器より上流側にファ−ル球通し口が位置して配置」されているという構成及び貯留誘導部が「パチンコ球が縦方向にそれぞれ配列貯留されかつ上端部が前記アウト球回収部の出口に連通する第1の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え」るという構成。
　
カ−４．取消理由３の「理由１」及び「理由２」について
　取消理由３の「理由１」及び「理由２」が、同日付の同一出願であるとする同一発明１及び同一発明２とは、次の点において相違する。
　
同一発明１及び２との相違点：
　待機誘導部における待機球検出器より上流側にファ−ル球通し口が存在するという構成
　
　これら相違点は、周知でも自明でもなく、「本件特許発明」は各「同一出願」と実質的に同一の発明とはいえない。
　
キ．むすび
　以上のとおりであるから、特許異議申し立ての理由及び証拠によっては本件請求項１に係る特許を取り消すことは出来ない。
　また、他に本件請求項１に係る特許を取り消すべき理由を発見しない。
　よって、結論の通りに審決する。
【異議決定日】
平成１７年３月７日（２００５．３．７）
【訂正の要旨】
審決（決定）の【理由】欄参照。
（５４）【発明の名称】
循環式パチンコ機
（５７）【特許請求の範囲】
　【請求項１】　打球位置へ送り込まれたパチンコ球を遊技盤面に向けて発射させる発射制御機構と、ファール球を回収するファール球回収部と、
アウト球及びセーフ球を
　前記貯留誘導部と前記待機誘導部は、前記遊技盤よりも下方においてそれぞれ配置され、
　前記貯留誘導部は、パチンコ球が縦方向にそれぞれ配列貯留されかつ上端部が前記アウト球回収部の出口に連通する第１の縦配列通路部と、上端部が前記待機誘導部の入口部と略同じ高さ位置まで存在して連通する第２の縦配列通路部と、前記第１、第２の両縦配列通路部の下端部をＵターン状に連通する方向変換部と、を備え、
　前記待機誘導部には、その待機誘導部で待機するパチンコ球数の不足を検出する待機球検出器が設けられる一方、
　前記貯留誘導部には、前記待機球検出器の検出信号によって作動しかつ前記第１の縦配列通路部の下端のパチンコ球を前記方向変換部を通して前記第２の縦配列通路部の下端に向けて移送しかつ前記第２の縦配列通路部のパチンコ球を順次に上側に押し出して前記待機誘導部に送り出すモータ駆動の球送り部材が設けられ、
　しかも、前記待機誘導部には、前記ファール球回収部に連通しかつ前記ファール球回収部のファール球を前記待機誘導部に導入するファール球通し口が設けられ、
　前記ファール球通し口は、前記待機誘導部のうち、前記待機球検出器の上流側に位置して配置されていることを特徴とする
【発明の詳細な説明】
　【０００１】
　【産業上の利用分野】
　この発明は循環式パチンコ機において、パチンコ機内で循環させて回収使用する１群のパチンコ球の循環制御装置に関する。
　【０００２】
　【従来の技術】
　循環式パチンコ機では機内に封入された一定個数のパチンコ球を使用し、打球位置へ送り込まれたパチンコ球を順次発射し、発射されたパチンコ球を回収して再び打球位置へ送り込み、パチンコ機内を循環させるように構成されている。
　【０００３】
　【発明が解決しようとする課題】
　本発明は循環式パチンコ機において、パチンコ球を回収および貯留して打球位置へ還元させる際のパチンコ球の循環動作を円滑化することを課題とするものである。
　【０００４】
　【課題を解決するための手段】
　前記課題を解決するために、この発明の請求項１に係る循環式パチンコ機は、打球位置へ送り込まれたパチンコ球を遊技盤面に向けて発射させる発射制御機構と、ファール球を回収するファール球回収部と、
アウト球及びセーフ球を
　前記貯留誘導部と前記待機誘導部は、前記遊技盤よりも下方においてそれぞれ配置され、
　前記貯留誘導部は、パチンコ球が縦方向にそれぞれ配列貯留されかつ上端部が前記アウト球回収部の出口に連通する第１の縦配列通路部（第４循環路４６Ｄに相当する）と、上端部が前記待機誘導部の入口部と略同じ高さ位置まで存在して連通する第２の縦配列通路部（第６循環路４６Ｆに相当する）と、前記第１、第２の両縦配列通路部の下端部をＵターン状に連通する方向変換部（第５循環路４６Ｅに相当する）と、を備え、
　前記待機誘導部には、その待機誘導部で待機するパチンコ球数の不足を検出する待機球検出器が設けられる一方、
　前記貯留誘導部には、前記待機球検出器の検出信号によって作動しかつ前記第１の縦配列通路部の下端のパチンコ球を前記方向変換部を通して前記第２の縦配列通路部の下端に向けて移送しかつ前記第２の縦配列通路部のパチンコ球を順次に上側に押し出して前記待機誘導部に送り出すモータ駆動の球送り部材が設けられ、
　しかも、前記待機誘導部には、前記ファール球回収部に連通しかつ前記ファール球回収部のファール球を前記待機誘導部に導入するファール球通し口が設けられ、
　前記ファール球通し口は、前記待機誘導部のうち、前記待機球検出器の上流側に位置して配置されていることを特徴とする。
　【０００５】
　【作用】
　したがって、この発明の請求項１に係る循環式パチンコ機において、発射制御機構によって遊技盤面に向けて発射されたパチンコ球のうち、ファール球はファール球回収部に流れて回収され、
アウト球及びセーフ球は
　前記アウト球回収部に流れたパチンコ球はそのアウト球回収部の出口から貯留誘導部
の第１の縦配列通路部に流れて縦方向に配列貯留される。
　第１の縦配列通路部に
球送り部材
第２の縦配列通路部に送られる。第２の縦配列通路部に送られたパチンコ球は、第２の縦配列通路部に沿って順次に上側に移送され、その出口側すなわち上端部に位置するパチンコ球が待
　一方、ファール球回収部に流れたパチンコ球はファール球通し口を通して待機誘導部の入口側寄り部分に流入して、同待機誘導部の下流側に流れる。
　このようにして、打球位置にあるパチンコ球が、アウト球回収部、貯留誘導部、待機誘導部及び打球位置、あるいは、ファール球回収部、
ファール球通し口、
　前記ファール球回収部に流れたパチンコ球はファール球通し口を通して待機誘導部に直接的に流入し、同待機誘導部の
待機球検出器を通過して
る。
　【０００６】
　【発明の効果】
　この発明によれば、打球位置から発射された各パチンコ球を回収して貯留し、再び打球位置へ還元させるまでの各パチンコ球の循環動作を円滑に順行させることができる。
　また、ファール球がファール球回収部のファール球通し口を通して待機誘導部に直接に戻される構成にすることにより、貯留誘導部に貯留されたパチンコ球の送り出し個数を軽減することができ、パチンコ球の循環効率を高めることができる。
　【０００７】
　【実施例】
　次に、本発明の１実施例を図面にしたがって説明する。
　一定個数のパチンコ球が機内に封入され、ゲームに必要な事項を記録したカード（遊技券）のためのカード処理システムを備えた循環式パチンコ機において、木製の外枠に前方への回動可能に軸支された方形枠状の枠１の前面にはガラス扉が前方への回動可能に軸支されるとともに、枠１の裏面には枠１の開口部とほぼ等しい形状の開口部を有する方形枠状のメインセット枠２が装着され、このメインセット枠２の下部に垂立された下板２ａの裏面には横長の長方形状の取付基板３が取付けられている。取付基板３は片側の下コーナ部付近に切欠き部を有する第１取付板３Ａと、この第１取付板３Ａの切欠き部に嵌め込まれた第２取付板３Ｂとに分割されている。メインセット枠２の開口部内には裏セット枠３０を介して遊技盤２５が脱着可能に嵌め込まれている。
　【０００８】
　メインセット枠２の取付基板３の前面の片側には発射されたパチンコ球を遊技盤面へ誘導する発射レール４がレール台を介して内方に向って上傾した姿勢で取付けられている。
　【０００９】
　取付基板３の裏面の一端部に組付けられた発射制御機構において、取付基板３の第２取付板３Ｂの裏面にビス着された発射モータセット板５には発射モータ６が取付けられ、この発射モータ６の出力軸６ａには凸部７ａを有する１山のモータカム７が取付けられている。
　【００１０】
　発射モータセット板５の下端に形成された角筒状の取付部５ａ内には発射制御回路がプリントされたモータ制御基板８が装入されている。
　【００１１】
　モータカム７の内方で取付基板３に回動可能に貫挿支持された支軸１９の後端にはハンマセット板９が固定され、このハンマセット板９のモータカム７側端部にはモータカム７に摺接して転動するカムフォロア９ａが回転可能にピン着され、ハンマセット板９の反モータカム９側端部には引きばねローラ９ｂがピン着され、ハンマセット板９の上部には後方へ延出された延出部１０ａと、この延出部１０ａの前端に直交状に連接された垂立部１０ｂと、この垂立部１０ｂの下端に連接されてループ状に湾曲された取付部１０ｃとを有する球送りワイヤ１０の取付部１０ｃがボルト８１によって締着されている。
　【００１２】
　取付基板３に貫設された横長状のガイド孔３ａ内には横一列に配列された複数個の調整孔１２ａが貫設されてハンマセット板９側へ延出された延出部１２ｂを有する引きばね片１２が左右方向への移動可能に貫挿され、この引きばね片１２と、ハンマセット板９の引きばねローラ９ｂとにはパチンコ球を発射させる強さを設定する引きばね１３が掛架されている。
　【００１３】
　モータカム９の下方には枠１の下端に軸支されて枠１の前方に突出されたハンドルにハンドル軸を介して連動可能に連結されたハンドル連動カム１４と、この連動カム１４に対接されたローラ１５ａを備え、連動カム１４に対向して左右方向への揺動可能に軸支された可動片１５とが配設されている。
　【００１４】
　引きばね片１２の下方には取付基板３に引きばね片１２に対向して左右方向への揺動可能に吊支されて揺動角度が７段階に調整される球とび調整片１６が配設され、この球とび調整片１６の上部付近には後方へ突出された支軸１６ａが挿着されている。
　【００１５】
　球とび調整片１６に支軸１６ａを介して揺動可能に軸支された引きばね駆動アーム１７の上端には引きばね片１２の調整孔１２ｂ内に選択的に係入されて引きばね片１２と引きばね駆動アーム１７とを連動可能に連繋するピン１７ａが突設され、引きばね駆動アーム１７の下端には外端が可動片１５の上端に繋止されて可動片１５と引きばね駆動アーム１７とを連動可能に連結する連結ワイヤ１８の内端が繋止されている。
　【００１６】
　ハンドルを回動してハンドル連動カム１４の回動角度を調整すると、可動片１５および引きばね駆動アーム１７が揺動して引きばね片１２が左右方向へ進退動し、引きばね１３が伸縮して引きばね１３の弾発力が増減する。
　【００１７】
　ハンマセット板９が嵌着された前記支軸１９の前端には打球位置のパチンコ球を叩打して発射レール４上から遊技盤面へ向けて発射させる打球ハンマ２０がハンマセット板９との共同回動動作可能に嵌着され、この打球ハンマ２０はボルト８１によって球送りワイヤ１０とともにハンマセット板９に締結され、打球ハンマ２０の上端には発射レール４側へ突出された叩打部２０ａが形成されている。
　【００１８】
　取付基板３の前面に打球ハンマ２０の上下端付近にそれぞれ対向して取着された上下１対の当てゴムホルダ２２には打球ハンマ２０が打球後に衝突して打球ハンマ２０の回動端を規定する当てゴム２３がそれぞれ嵌装されている。
　【００１９】
　取付基板３には発射レール４の基端部の上方に配設されてパチンコ球を取付基板３の裏側から発射レール４の基端部上へ送り込むための球送り口２６が開口されるとともに、取付基板３の前面で打球位置の若干上方には打球位置のパチンコ球の転落を阻止する球止め片２７が取付けられている。
　【００２０】
　取付基板３の裏面には先端部が球送り口２６付近に配設された横長状の球送り樋７０が球送り口２６側へ若干下傾して取付けられ、メインセット枠２の下部裏側にはパチンコ球を待機させかつ打球位置へ誘導して還元させる待機誘導部５２Ｅが発射制御機構に対向して配設されている。
　【００２１】
　球送り樋７０には取付基板３の後方に垂立された横長状の後壁板７０ａと、この後壁板７０ａの上端縁に連接されて前方へ横出された上壁板７０ｂと、後壁板７０ａの前面下部にその基端から先端の内方にわたって先端に向って下傾した状態で連接されて前方へ横出され、パチンコ球が横一列に配列されて転動可能に載置される底壁板７０ｃと、後壁板７０ａおよび底壁板７０ｃにわたって開設された複数個の透視窓７０ｄとが形成され、取付基板３と球送り樋７０の後壁板７０ａとの間で底壁板７０ｃ上には適数個のパチンコ球を待機させて１個づつ打球位置へ送り込む待機誘導部５２Ｅとしての第８循環通路４６Ｈが形成され、第８循環誘導通路４６Ｈの先端は球送り口２６に対置されている。
　【００２２】
　球送り樋７０の後壁板７０ａの先端には前方へ横出された上支軸７３および下支軸７４が挿着され、この下支軸７４には水平状の上片２４ａと、この上片２４ａの内端付近に直交状に垂下された下片２４ｂとを有する球送りアーム２４が前記球送りワイヤ１０の上端に対向して左右方向への揺動可能に支持されている。
　【００２３】
　ハンマセット板９が反時計方向へ回動して球送りワイヤ１０が外方へ傾倒したときには球送りアーム２４の下片２４ｂが球送りワイヤ１０によって外方へ押動されて球送りアーム２４が時計回り方向へ揺動する。
　【００２４】
　球送り樋７０の上支軸７３には球送り樋７０の先端部内に装入されて球送りアーム２４の上片２４ａ上に設置された球送り制御片２８が球送り口２６に対向して揺動可能に支持されている。この球送り制御片２８には上面が前方に向って下傾する凹曲面状で１個のパチンコ球の受取りおよび送り出しが可能な球受け部２８ａと、この球受け部２８ａの基端に連接されて上支軸７３が貫挿されたボス部２８ｂと、このボス部２８ｂに連接されて外方へ延出された延出部２８ｃとが形成され、この延出部２８ｃの先端には球送りアーム２４の上片２４ａ上に載置された錘り２９がピン着されている。
　【００２５】
　球送り制御片２８は錘り２９の重量によって常には球受け部２８ａが上動した揺動姿勢で保持され、球受け部２８ａの先端縁が球送り樋７０の底壁板７０ｃ上で待機するパチンコ球の先頭のパチンコ球に突き当てられている。球送りアーム２４の下片２４ｂが球送りワイヤ１０で外方へ押動されたときには錘り２９が球送りアーム２４の上片２４ａで押上げられて球送り制御片２８の球受け部２８ａが下方へ変位し、球受け部２８ａの先端縁が球送り樋７０の底壁板７０ｃの先端縁に整合され、底壁板７０ｃ上の先頭のパチンコ球が球受け部２８ａ上へ移載されて前方へ送り出され、球送り口２６を通り抜けて発射レール４の基端上の打球位置へ移載される。
　【００２６】
　球送り樋７０の底壁板７０ｃの中央部の下側には第８循環通路４６Ｈの中央部付近で待機するパチンコ球の有無を検出する球検出器としての待機球検出スイッチ（近接スイッチ）７５が取付けられ、第８循環通路４６Ｈの出口から待機球検出スイッチ７５の上方位置までの間に配列される規定数のパチンコ球が不足した待機球不足時には待機球検出スイッチ７５が検出信号を発信する。
　【００２７】
　メインセット枠２の取付基板３の上端に間隙を隔てて垂立された左右の壁板３ｃ，３ｄのうち、一方の壁板３ｃの内端には上部の正面形状が逆Ｖ形状で上部が壁板３ｃ上へ突出されて下部の正面形状が円弧状の球止め部材４０が連接されている。
　【００２８】
　球止め部材４０内の下部には発射レール４上から発射されたパチンコ球のうち、発射レール４側へ戻ったファール球を受止めて落下させる球止め片４２がその先端面を露出した状態で設置されている。
　【００２９】
　壁板３ｄの内端付近の下方で取付基板３の前面には図６に示すように壁板３ｄの内端縁の下端の内方にファール球を通過させる球通し口４３を隔てて縦設された内縦樋板４４ａと、この内縦樋板４４ａの下端に連接されて外方へ若干下傾した状態で横設された上横樋板４４ｂと、この上横樋板４４ｂの外端に連接されて若干外傾状に縦設された外縦樋板４４ｃと、この外縦樋板４４ｃの下端に連接されて外方へ若干下傾した状態で横設され、外端付近の端縁が円弧状に湾曲された中横樋板４４ｄと、この中横樋板４４ｄの下方に並行状に横設されて内端付近の正面形状が円弧状に形成され、外端縁付近の平面形状が円弧状に湾曲された下横樋板４４ｅと、中，上横樋板４４ｄ，４４ｅの外端付近に連接されて横断面形状が円弧状に湾曲された蓋板４４ｆとを有するファール球用の表誘導樋４４が突出形成されている。
　【００３０】
　表誘導樋４４の上横樋板４４ｂの外端付近と、中横樋板４４ｄの内端付近とにはファール球が通過する上下一対の球通し口４５が開口されている。
　【００３１】
　表誘導樋４４はその各樋板４４ａ〜４４ｅの前端面に当接されて外端縁が蓋板４４ｆの内端縁に掛止された表蓋４７によって覆蓋され、表蓋４７と取付基板３との間で表誘導樋４４内にはファール球が集合して通り抜ける第１循環通路４６Ａが形成され、取付基板３の前側の中央部にはファール球を回収して送り出す表回収誘導部５２Ａ（この発明のファール球回収部に相当する）が配設されている。
　【００３２】
　表誘導樋４４の上，中横樋板４４ｂ，４４ｄ間には上下球通し口４５間に挿入された検出口６９ａを有し、第１循環通路４６Ａを通り抜けるパチンコ球を検出するファール球通過検出スイッチ６９が挟み込まれている。
　【００３３】
　取付基板３の上部には中横樋板４４ｄの外端付近と下横樋板４４ｅの外端付近との間に開設されて蓋板４４ｆによってカバーされ、第１循環通路４６Ａの先端に連通された方形孔状のファール球通し口４８が形成され、第１循環通路４５へ導入されたファール球はファール球通し口４８を通り抜けて第８循環通路４６Ｈの入口付近へ導入される。
　【００３４】
　メインセット枠２の裏面の開口縁には中央部に開口部３０ｂを有し、メインセット枠２にヒンジを介して後方への回動可能に組付けられて遊技盤２５の裏面をカバーする裏セット枠３０が添設されている。
　【００３５】
　裏セット枠３０はメインセット枠２の縦枠部２ｂに取付けられた軸受け８０を介してメインセット枠２に後方への回動可能に軸支されるとともに、裏セット枠３０はメインセット枠２の裏面の開口縁付近に回動可能にビス着された複数個の締め具３１によって遊技盤２５をサンドイッチ状に挟み込んだ状態でメインセット枠２に解放可能に固止されている。
　【００３６】
　裏セット枠３０の下枠部３０ａの前面にはその左右端部付近からその中央部に向ってそれぞれ緩やかな勾配で下傾する左右の帯板状の集合樋３２，３２が突出形成されて間隙を隔てて並設され、この両集合樋３２の内端縁３２ａは高低差が付与されている。
　【００３７】
　裏セット枠３０の下枠部３０ａの前面中央部には一方の集合樋３２の内端縁３２ａに連接されて垂下された第１仕切り板３５と、他方の集合樋３２の内端縁３２ａの下方に配設されて第１仕切り壁３５の側方に間隙を隔てて垂立された垂立片３６ａおよびこの垂立片３６ａの上端に直交状に連接された上片３６ｂを有する第２仕切り板３６とが突出形成されている。
　【００３８】
　裏セット枠３０の下枠部３０ａの前面にはこの下枠部３０ａの前方に垂立された横長状の裏板３７が並着され、この裏板３７の下端の中央部付近には球通し窓３８が開口されている。
　【００３９】
　裏セット枠３０の下枠部３０ａと裏板３７との間で両仕切り壁３５，３６間には遊技盤２５の裏面から両集合樋３２上へ転落したパチンコ球を通過させる第２循環通路４６Ｂが垂直状に形成されるとともに、一方の集合樋３２の内端付近と第２仕切り壁３６の水平片３６ｂとの間には第２球通路４６Ｂを通過したセーフ球およびアウト球を検出する前通過球検出スイッチ７６が挟み込まれている。
　【００４０】
　遊技盤２５の裏面へ送り出されたセーフ球および遊技盤２５の下端のアウト球受口２５ａから送り出されたアウト球は両集合樋３２上へ転落して内方へ転動し、第２循環通路４６Ｂを通り抜けて球通し窓３８内へ導入される。
　【００４１】
　取付基板３の裏面の上端付近には後方へ水平状に突出された支持板３ｅが取付基板３のほぼ全長にわたって形成され、この支持板３ｅ中央部付近には球通し窓３８を通り抜けて落下したセーフ球およびアウト球を通過させる切り欠き部３ｆが形成されている。
　【００４２】
　取付基板３の裏面中央部の上端付近には図７に示すように球通し窓３８の下方に縦設されて支持板３ｅの切り欠き部３ｆの端縁に連接された縦樋板５０ａと、この縦樋板５０ａの下端に連接されて内方へ下傾した上樋板５０ｂと、この上樋板５０ｂの先端に連接されて上樋板５０ｂの傾斜方向と同方向へ下傾した中樋板５０ｃと、この中樋板５０ｃの両端部にそれぞれ連接されて正面形状がほぼ左右対称の円弧状に湾曲した左右の下樋板５０ｄ，５０ｅと、中樋板５０ｃおよび右下樋板５０ｅの側方に設置されて上部が垂直状で下部が円弧状の側樋板５０ｆと、左下樋板５０ｄの円弧中心位置に配設された突片５０ｇとを有する裏誘導樋５０が突出形成され、この裏誘導樋５０は各樋板５０ａ〜５０ｆおよび突条５ｇの後端縁に当接された裏蓋５１によって覆蓋されている。裏蓋５１にはパチンコ球を透視するための透視窓５１ａ〜５１ａが開設されている。
　【００４３】
　取付基板と裏蓋５１との間で、上樋板５０ｂ上、中樋板５０ｃ上および右下樋板５０ｅと側樋板５０ｆとの間にはアウト球およびセーフ球を貯留および通過させる第３循環通路４６ｃが形成され、左下樋板５０ｄと突片５０ｇとの間には第８循環通路４６Ｈに連通された第７循環通路４６Ｇが第８循環通路４６Ｈの入口に向って上傾した状態で形成され、取付基板３の後側の中央部にはセーフ球およびアウト球を回収して送り出す裏回収誘導部５２Ｂ（この発明のアウト球回収部に相当する）が配設されている。
　【００４４】
　取付基板３の前面中央部の下端付近には前記待機球検出スイッチ７５の検出信号に基づいて回転制御されるステッピングモータ型の球送りモータ５８が取付けられるとともに、取付基板３の裏面中央部には裏誘導樋５０の下方に連設されて取付基板３を挟んで球送りモータ５８に締結された樋本体５４が取付けられている。
　【００４５】
　樋本体５４には縦長状の樋部５５と、この樋部５５の下部に連接された後方開放の箱形状の取付部５６とが形成され、樋部５５にはその後面の両側縁に垂直状に突設された左右の外突条５５ａと、その後面の中央部に垂直状に突設された中突条５５ｂとが並行状に形成されるとともに、両外突条５５ａと中突条５５ｂとの間には左右１対の溝部５５ｃ，５５ｃが並行状に形成されている。
　【００４６】
　樋本体５４の樋部５５の下端には丸孔状の前通し孔５５ｄが開口され、この前通し孔５５ｄの孔縁の下部には円弧状に湾曲されて両外突条５５ａの下端に連接された下突条５５ｅが突設され、樋部５５の左右端面の上端にはそれぞれ軸部５５ｆが横出されている。
　【００４７】
　樋本体５４の取付部５６にはモータ基板ボックス５７の前端部が挿入され、このモータ基板ボックス５７内には球送りモータ５８が接続されたモータ基板５９が設置されている。
　【００４８】
　樋本体５４の樋部５４ａの後側に重ね合わされた樋カバー６０の上端の左右端部にはそれぞれ樋本体５４の軸部５５ｆが嵌挿された左右１対の軸受部６０ａが形成され、樋カバー６０は樋本体５４に両軸部５５ｆおよび両軸受部６０ａを介して上方への回動可能に連結されている。
　【００４９】
　樋カバー６０には樋本体５４の両溝部５５ｃにそれぞれ対向して縦長状の溝部６０ｂ，６０ｂが左右並行状に形成されるとともに、樋カバー６０の下端には樋本体５４の前通し孔５５ｄに対向して丸孔状の後通し孔６０ｃが開口され、溝部６０ｂの両側壁面には横断面が三角形状のリブ６０ｄがパチンコ球の通過不能な間隙を隔てて垂直方向に沿って相対向状に突設されている。
　【００５０】
　裏回収誘導部５２Ｂの下方には樋本体５４の両溝部５５ｃと樋カバー６０の両溝部６０ｂとによって形成されて、パチンコ球が縦２列に配列されて貯留される貯留誘導部５２Ｃが配設され、この貯留誘導部５２Ｃには、第４循環通路４６Ｄと、第６循環通路４６Ｆとが並行状に形成され、第４循環通路４６Ｄの上端は第３循環通路４６Ｃの下端に連通され、第６循環通路４６Ｆの上端は第７循環通路４６Ｇの下端に連通されている。
　【００５１】
　貯留誘導部５２Ｃのパチンコ球を必要時に待機誘導部５２Ｅとしての第８循環通路４６Ｈへ送り出すために設けた球送り出し機構において、樋本体５４の前通し孔５５ｄと樋カバー６０の後通し孔６０ｃ内には球送りモータ５８の出力軸５８ａに嵌着された球送り歯車６８（この発明の球送り部材に相当する）が装入され、この球送り歯車６８の外周面には縦断面形状が円弧状で周方向へ６０°の回転対称状に配列された６個の球受け部６８ａが凹設され、球送り歯車６８は各球受け部６８ａが第４循環通路４６Ｄの直下位置および第６循環通路４６Ｆの直下位置へ順次変位するように回転制御される。
　【００５２】
　第４、第６循環通路４６Ｄ，４６Ｆの下方には貯留誘導部５２Ｃのパチンコ球を上方から上方へＵターン状に曲進移送させる第５循環通路４６Ｅが球送り歯車６８の各球受け部６８ａによって形成されるとともに、貯留誘導部５２Ｃの途中には球送り出し部５２Ｄが配設されている。
　【００５３】
　球送り歯車６８は球送りモータ５８によって時計回り方向へ６０°づつ間欠的に回転駆動され、球送り歯車６８が６０°回転すると、第４循環通路４６Ｄ内の先頭のパチンコ球が第５循環通路４６Ｅ内へ進入して球送り歯車６８の球受部６８ａで受止められ第５循環通路４６Ｅ内の先頭のパチンコ球が第６循環通路４６Ｆ内へ進入し、第６循環通路４６Ｆ内の先頭のパチンコ球が押出されて第７循環通路４６Ｇ内へ進入し、第７循環通路４６Ｇ内の先頭のパチンコ球が押出されて第８循環通路４６Ｈ内へ進入する。
　【００５４】
　樋本体５４の樋部５４ａの中央部付近の前側には取付基板３に凹設された凹部３ｇ内に嵌挿されて第４循環通路４６Ｄ内のパチンコ球の不足を検出して検出信号を発信する貯留球検出スイッチ７７が設置され、球詰りなどの原因によって第４循環通路４６Ｄ内のパチンコ球が不足したときにはこの貯留球検出スイッチ７７の検出信号に基づいて貯留球不足状態が外部に報知される。
　【００５５】
　樋カバー６０の後側には樋カバー６０の左側の溝部６０ｂを覆蓋する蓋板６３が重ね合わされ、この蓋板６３には縦長状の蓋部６３ａと、この蓋部６３ａの中央部に連接されて側方へ延出された係止部６３ｂとが形成され、蓋部６３ａの側縁には樋カバー６０の反係止部６３ｂ側の側縁６０ｅに係合された係合部６３ｃが縦設され、蓋板６３はこの係合部６３ｃと係止部６３ｂとによって樋カバー６０に取外し可能に組付けられている。
　【００５６】
　蓋板６３の蓋部６３ａの上下端部には楕円孔状の通し孔６３ｄがそれぞれ貫設されるとともに、蓋部６３ａの前面には樋カバー６０の左側の溝部６０ｂに対置された縦長状の溝部６４が両通し孔６３ｄ間にわたって凹設されている。
　【００５７】
　蓋板６３の溝部６４と、樋カバー６０の左側の窓部６０ｂの両リブ６０ｃとの間に縦長状に形成されて第６循環通路４６Ｆに連通された空隙部６５内には第６循環通路４６Ｆを通過するパチンコ球に摺接して第６循環通路４６Ｆ内のパチンコ球を清浄化する左右１対の紐状のクリーニング部材６６，６６が並行状に挿通されている。
　【００５８】
　続いて、上記した構成をもつ実施例の作用と効果を説明する。
　本例では打球位置のパチンコ球を遊技盤面に向けて発射させる発射制御機構の近傍にはファール球を回収して誘導する表回収誘導部５２Ａと、セーフ球およびアウト球を回収して誘導する裏回収誘導部５２Ｂと、パチンコ球を貯留して誘導する貯留誘導部５２Ｃと、この貯留誘導部５２Ｃのパチンコ球を積極的に送り出す球送り出し部５２Ｄと、一定個数のパチンコ球を待機させて打球位置へ還元させる待機誘導部５２Ｅとを配置してある。
　【００５９】
　このため、１群のパチンコ球を循環制御する循環制御機構全体をコンパクト化してそのスペースを縮小することができるとともに、打球位置から発射された各パチンコ球を回収して貯留し、再び打球位置へ還元させるまでの各パチンコ球の循環動作を円滑に順行させることができる。
【図面の簡単な説明】
　【図１】
　本発明の１実施例を示す要部の一部破断裏面図である。
　【図２】
　メインセット枠、遊技盤および裏セット枠の分解斜視図である。
　【図３】
　要部の裏面図である。
　【図４】
　球送り樋付近の分解斜視図である。
　【図５】
　図１のＸ１−Ｘ１線拡大断面図である。
　【図６】
　表回収誘導部の分解斜視図である。
　【図７】
　裏回収誘導部および貯留誘導部付近の分解斜視図である。
　【図８】
　図１のＸ２−Ｘ２線拡大面図である。
　【図９】
　図１のＸ３−Ｘ３線拡大断面図である。
　【図１０】
　図３のＸ４−Ｘ４線拡大断面図である。
　【図１１】
　図１のＸ５−Ｘ５線拡大断面図である。
　【図１２】
　図１のＸ６−Ｘ６戦拡大断面図である。
　【符号の説明】
　４８　ファール球通し口
　５２Ａ　表回収誘導部
　５２Ｂ　裏回収誘導部
　５２Ｃ　貯留誘導部
　５２Ｅ　待機誘導部